(57)【要約】      （修正有）【課題】発電装置等の重量物を載置し、この発電装置等からの振動を効果的に減衰させるようにする。【解決手段】下部固定台板と上部可動板とを有し、且つ、該下部固定台板と上部可動板は脚体を介して連繋されると共に、該上部可動板は弾性体にて上方へ付勢され、且つ、上下動可能に形成されて成る防振台に於いて、上記下部固定台板２１の下面には下部ウエブ２３が突設されて、該下部ウエブ２３の下端面に座板２４が固設され、更に、上記上部可動板２２の上面にも上部ウエブ２５が突設されて該上部ウエブ２５の上端面に重量物載置板２６が固設され、一方、該下部固定台板２１と上部可動板２２の端部間であって、少くとも前後左右相互に対峙する４隅部位に脚体２７が取外し自在に連繋されており、該脚体２７間の少くとも対峙する前後又は左右側面部の何れかであって、該下部固定台板２１と上部可動板２２間にダンパー２９が介装される。【選択図】  図１
2004340272.tif 000002
【特許請求の範囲】
【請求項１】
下部固定台板と上部可動板とを有し、且つ、該下部固定台板と上部可動板は脚体を介して連繋されると共に、該上部可動板は弾性体にて上方へ付勢され、且つ、上下動可能に形成されて成る防振台に於いて、
上記下部固定台板の下面には下部ウエブが突設されて、該下部ウエブの下端面に座板が固設され、更に、上記上部可動板の上面にも上部ウエブが突設されて該上部ウエブの上端面に重量物載置板が固設され、
一方、該下部固定台板と上部可動板の端部間であって、少くとも前後左右相互に対峙する４隅部位に脚体が取外し自在に連繋されており、該脚体間の少くとも対峙する前後又は左右側面部の何れかであって、該下部固定台板と上部可動板間にダンパーが介装され、且つ、前記脚体で囲繞される下部固定台板と上部可動板間の内部空間部に複数個の弾性体が並置されたことを特徴とする防振台。
【請求項２】
上記ダンパーは、上端部を前記上部可動板に固定されて下方へ垂設された可動ダンパー片と、下端部を前記下部固定台板に固定されて上方へ立設された固定ダンパー片と、之等可動ダンパー片と固定ダンパー片の重合部位に粘弾性体が介装され、且つ、該粘弾性体の両面が可動ダンパー片と固定ダンパー片に夫々接着されて成ることを特徴とする請求項１記載の防振台。
【請求項３】
上記上部ウエブ及び下部ウエブは＃桁形状に突設され、その中心部に上記重量物載置板及び座板が夫々固設されて成り、且つ、該重量物載置板及び座板は夫々前記上部可動板及び下部固定台板より小形に形成されて成る請求項１又は２記載の防振台。
【請求項４】
上記弾性体はコイルスプリングから成り、且つ、上記下部固定台板と上部可動板間に位置決めされて介装されて成る請求項１、２、又は３記載の防振台。
【発明の詳細な説明】
【０００１】
【発明の属する技術分野】
本発明は防振台に関するものであり、特に、発電装置等の重量物を載置し、そして、該発電装置からの振動を可及的に減衰させて環境を保全するように形成された防振台に関するものである。
【０００２】
【従来の技術】
従来の此種防振台を図８及び図９を参照して説明する。図に於いて、該防振台は調理台２上に載置されて固定される箱状又はフレーム状の固定台１と、該固定台１上に配設される防振対象物を載置する可動台４とを有し、且つ、該可動台４は、該可動台４に上端部を固設した４本の脚部８，８，８，８の下端部が、上端部を前記固定台１の上端部にゴム状体７を介して係合した吊り下げアーム６の下端部にゴム状弾性体１１を介して係合し、そして、該固定台１に吊り下げられるように構成されている。更に又、該吊り下げアーム６を巻回する如く前記固定台１の上端部と前記脚部８，８，８，８の下端部間にコイルスプリング１２，１２，１２，１２が介装されて成るものである。（引用文献１参照）
【０００３】
【引用文献１】特開２００１−２０８１３３号公開公報
（特許請求の範囲  段落００１１〜００２０）
【０００４】
【発明が解決しようとする課題】
上記従来例の防振台は調理台２の上面に据え付けられ、そして、パン練り機等の防振対象物３を前記可動台４の上に載置して該パン練り機等を稼働させているとき、該パン練り機等からの振動が調理台２に伝達されないように構成されたものである。即ち、この従来例は上記構成を採択しているので、吊り下げアーム６がゴム状弾性体７の部分を支点として何れの方向に対しても柔軟に振り子運動を為す。このとき、該ゴム状弾性体７に曲げや圧縮力が加わるので振り子運動が効果的に減衰される。又、ゴム状弾性体７は前記吊り下げアーム６を介して固定台１に伝達されようとする振動を遮断する。更に又、該吊り下げアーム６が前記振り子運動をしたとき前記スプリング１２の力がゴム状弾性体７を圧縮するように作用して振り子運動を減衰させるように構成されて成るものである。
【０００５】
然し乍ら、このような構成を有する防振台は、発電装置等の重量物である駆動体を載置し、そして、この駆動体の駆動によって生じる振動を減衰させて環境を保全するように機能させる装置としては全く不適切である。
【０００６】
そこで、発電装置等の重量物である駆動体を載置し、そして、この駆動体からの振動を減衰させて環境を保全するために解決せられるべき技術的課題が生じてくるのであり、本発明は該課題を解決することを目的とする。
【０００７】
【課題を解決するための手段】
本発明は上記目的を達成するために提案されたものであり、下部固定台板と上部可動板とを有し、且つ、該下部固定台板と上部可動板は脚体を介して連繋されると共に、該上部可動板は弾性体にて上方へ付勢され、且つ、上下動可能に形成されて成る防振台に於いて、上記下部固定台板の下面には下部ウエブが突設されて、該下部ウエブの下端面に座板が固設され、更に、上記上部可動板の上面にも上部ウエブが突設されて該上部ウエブの上端面に重量物載置板が固設され、一方、該下部固定台板と上部可動板の端部間であって、少くとも前後左右相互に対峙する４隅部位に脚体が取外し自在に連繋されており、該脚体間の少くとも対峙する前後又は左右側面部の何れかであって、該下部固定台板と上部可動板間にダンパーが介装され、且つ、前記脚体で囲繞される下部固定台板と上部可動板間の内部空間部に複数個の弾性体が並置された防振台、及び、上記ダンパーは、上端部を前記上部可動板に固定されて下方へ垂設された可動ダンパー片と、下端部を前記下部固定台板に固定されて上方へ立設された固定ダンパー片と、之等可動ダンパー片と固定ダンパー片の重合部位に粘弾性体が介装され、且つ、該粘弾性体の両面が可動ダンパー片と固定ダンパー片に夫々接着して成る防振台、並びに、上記上部ウエブ及び下部ウエブは＃桁形状に突設され、その中心部に上記重量物載置板及び座板が夫々固設されて成り、且つ、該重量物載置板及び座板は夫々前記上部可動板及び下部固定台板より小形に形成されて成る防振台、及び、上記弾性体はコイルスプリングから成り、且つ、上記下部固定台板と上部可動板間に位置決めされて介装されて成る防振台を提供するものである。
【０００８】
【発明の実施の形態】
以下、本発明の一実施の形態を図１乃至図７に従って詳述する。図に於いて２０は本発明の防振台を示す。該防振台２０は下部固定台板２１と、上部可動板２２と、該下部固定台板２１の下部に突設されている下部ウエブ２３と、該下部ウエブ２３の下端面に固設される座板２４と、上記上部可動板２２上に突設されている上部ウエブ２５と、該上部ウエブ２５の上端面に固設される重量物載置板２６と、上記下部固定台板２１と上部可動板２２との間であって、各隅部に介装される脚体２７，２７，２７，２７と、之等各脚体２７，２７，２７，２７間の内部に配設される弾性体２８と、対峙する脚体２７，２７間に配設されるダンパー２９とから成る。
【０００９】
而して、図に示す実施の形態に於いては、上記下部固定台板２１と上部可動板２２とは同形の正方形状に形成されているが、之に限定せられるべきではなく、矩形、円形、楕円形その他任意の形状のものが選択される。
【００１０】
又、該上記下部固定台板２１と上部可動板２２の夫々の隅部に前記脚体２７，２７，２７，２７の各端部を遊挿するための脚体遊挿孔３０，３０，３０，３０が開穿されている。そこで、該脚体遊挿孔３０，３０，３０，３０には夫々脚体２７，２７，２７，２７の各端部が遊挿される。而も、該脚体２７，２７，２７の各端部は前記脚体遊挿孔３０，３０，３０，３０を貫通させ、この貫通部位にネジ部（図示せず）が設けられ、該ネジ部にナット３１，３１，３１，３１を螺着して該脚体２７，２７，２７，２７の抜け止めを為している。斯くして、図１に示す脚体２７，２７，２７，２７は夫々自重によって上端部は上方部の各ナット３１が上部可動板２２の上面に係止しており、そして、下方部が夫々下部固定台板２１の下面より所定距離Ｍを有して突出している。
【００１１】
又、該所定距離Ｍは下部固定台板２１と上部可動板２２との間であって、上記脚体２７，２７，２７，２７にて囲繞される内部空間部３２に前後左右相互に対峙して配置される弾性体２８を構成するコイルスプリング２８ａ，２８ａ，２８ａ，２８ａによって維持され、且つ、該コイルスプリング２８ａ，２８ａ，２８ａ，２８ａの伸縮動作に追随して該所定距離Ｍが長短何れかに自動的に調整されるように構成されている。又、該弾性体２８をコイルスプリング２８ａにて構成すれば、該コイルスプリング２８ａの上下端面を夫々下部固定台板２１と上部可動板２２に当接させ、そして、該下部固定台板２１及び上部可動板２２の夫々の内側面の所定位置に突設された突部３３，３３，３３，３３にコイルスプリング２８ａ，２８ａ，２８ａ，２８ａの夫々の上下端部の開放面を遊嵌することにより、該コイルスプリング２８ａ，２８ａ，２８ａ，２８ａの位置決めが為され、不慮脱落するようなことはなくなる。
【００１２】
又、上記下部固定台板２１の下面には図１及び図２に示すように、図形の台形状に形成され、且つ、＃桁状に結合された下部ウエブ片２３ａ，２３ａ，２３ａ，２３ａが下方へ向って突設されて下部ウエブ２３を構成している。そして、該台形状の各下部ウエブ片２３ａ，２３ａ，２３ａ，２３ａの頂部に相当する端面に正方形状の座板２４が固設される。
【００１３】
又、上記上部可動板２２の上面には、図１及び図２に示すように同形の台形状に形成され、且つ、＃桁状に結合された上部ウエブ片２５ａ，２５ａ，２５ａ，２５ａが上方へ向って突設されて上部ウエブ２５を構成している。そして、台形状の各上部ウエブ片２５ａ，２５ａ，２５ａ，２５ａの頂部に重量物載置板２６が固設されている。斯くして、前記座板２４及び重量物載置板２６は下部ウエブ２３及び上部ウエブ２５に夫々安定的に、且つ、強固に固設されることができる。
【００１４】
而して、下部固定台板２１に対峙する上部可動板２２並びに前記下部ウエブ２３に対峙する上部ウエブ２５並びに座板２４に対峙する重量物載置板２６は夫々対象形に形成され、上下に逆転した状態で相互に転用可能であるから加工コストを著しく低減することができる。但し、之に限定せられるべきではない。
【００１５】
斯くして、該下部ウエブ２３及び上部ウエブ２５と前記脚体２７，２７，２７，２７とは相互に干渉することなく、コイルスプリング２８ａ，２８ａ，２８ａ，２８ａは発電装置の駆動体の振動に対する自在な伸縮動作が維持されることができる。
【００１６】
又、上記脚体２７，２７，２７，２７間であって、且つ、前後又は左右方向にて対峙する各脚体２７，２７，２７，２７間の空間部に前記ダンパー２９が介装される。而して、該ダンパー２９は図４及び図５に示すように、上端部を前記上部可動板２２の端部下面に突設された突部２２ａにビス止め等の手段にて固定されて下方へ長く垂設された方形の可動ダンパー片２９ａと、下端部を前記下部固定台板２１の端部上面に突設された突部２１ａにビス止め等の手段にて固定されて上方へ長く立設された方形の固定ダンパー片２９ｂとを有し、且つ、之等可動ダンパー片２９ａと固定ダンパー片２９ｂとは相互に重っており、そして、この重合部位に粘弾性体３４を介装し、更に、該粘弾性体３４の両面を夫々可動ダンパー片２９ａと固定ダンパー片２９ｂとの接合面に接着剤を用いて接着してある。而して、該粘弾性体３４は主としてゴム質のものが選択される。然るときは、前記コイルスプリング２８ａ，２８ａ，２８ａ，２８ａの伸縮作用に追随して該粘弾性体３４がよじれ乍ら、発電装置から生じる振動の減衰作用を助成することが可能となるのである。
【００１７】
尚、図中符号３５はゴム質等から成るクッション材を示す。
【００１８】
本発明の上記実施の形態の防振台２０上に発電装置３６を載置して該発電装置３６を設置した状態を図６及び図７に示す。同図に於いて該発電装置３６は大重量物であって、広いスペースを要する。そこで、本発明の防振台２０は該発電装置３６の架台３６ａの縁部に多数敷設される。このとき、各防振台２０，２０…の上部ウエブ２５，２５間の両端部にジャッキー（図示せず）を設置して発電装置３６の水平度を調整し、調整後は該ジャッキーは取り除かれる。
【００１９】
斯くの如く、該発電装置３６の下面周縁部を載置した多数の防振台２０，２０…は、該発電装置３６の振動に対して各別に作用する。従って、主として本発明の防振台２０，２０…は夫々該発電装置３６の垂直方向の振動に対応して前記コイルスプリング２８ａ，２８ａ，２８ａ，２８ａ並びにダンパー２９が之を受け入れて減衰させるのであるが、該防振台２０，２０…の各機能は各別に作用するので該発電装置３６からの左右或いは前後の傾き振動も許容し乍ら之を減衰させることが可能となり、該発電装置３６から生じる振動を減衰させて、地表面への伝播を極めて効果的に抑え、  環境を保全することが可能となるのである。
【００２０】
尚、本発明は、本発明の精神を逸脱しない限り種々の改変を為すことができ、そして、本発明が該改変されたものに及ぶことは当然である。
【００２１】
【発明の効果】
本願の請求項１記載の発明は、固定台板の下部に突設された下部ウエブの下端面に座板が固設され、更に、上部可動板の上部に突設された上部ウエブの上面に重量物載置板が固設されており、更に、下部固定台板と上部可動板間の夫々対峙する４隅部位に脚体が取外し自在で連繋されており、更に又、少くとも前後又は左右側面部の何れかの脚体間にダンパーが介装されると共に、脚体で囲繞される下部固定台板と上部可動板間の空間部に複数個の弾性体が並置されているので、本発明の防振台の多数個を例えば、発電装置の下面周縁部に所定の配列順序に従って設置して該発電装置を該防振台にて支持しているときには、之等防振台の作用によって該発電装置から伝達される振動は極めて効率良く減衰されて周囲の環境を保全することができる。
【００２２】
又、請求項２記載の発明は、上記請求項１記載の発明の効果に加え、粘弾性体がコイルスプリング等から成る弾性体の伸縮作用に追随してよじれ乍ら前記発電装置からの振動に対する減衰作用を一層助成する等の効果を奏する。
【００２３】
更に、請求項３記載の発明は、請求項１又は２記載の発明の効果に加え、＃桁状に結合されて成る上部ウエブと下部ウエブとの夫々の端面に重量物載置板及び座板が強固に固設されているので、該重量物載置板及び座板は夫々前記上部可動板及び下部固定台板との間に所定距離を有して構成されることになり、依って、上部可動板が弾性体の付勢によって支持され乍ら自在に上下動して発電装置からの振動を一層効率良く減衰させる効果を奏する。
【００２４】
更に又、請求項４記載の発明は弾性体をコイルスプリングにて形成したので、上部可動板と下部固定台板の夫々の内側面に突部を設け、この突部にコイルスプリングの上下面の開放面を遊嵌させることが可能となり、依って、請求項１、２又は３記載の発明の効果に加え、コイルスプリングが作動中に不慮妄脱するようなことがなくなり、発電装置からの振動に対する減衰作用を一層助成することができる。
【図面の簡単な説明】
【図１】本発明の一実施の形態を示し、防振台の正面図。
【図２】図１の平面図。
【図３】図１の底面図。
【図４】図１の側面図。
【図５】図１に於いて左右の脚体を取り除いたときの正面図。
【図６】図１の防振台上に発電装置を載置した状態を示す解説正面図。
【図７】図６に於いて防振台の装置位置を示す解説図。
【図８】従来の防振台を示し、その正面図。
【図９】図８の要部を示す一部切欠正面図。
【符号の説明】
２０          防振台
２１          下部固定台板
２２          上部可動板
２３          下部ウエブ
２４          座板
２５          上部ウエブ
２６          重量物載置板
２７          脚体
２８          弾性体
２８ａ        コイルスプリング
２９          ダンパー
２９ａ        可動ダンパー片
２９ｂ        固定ダンパー片
３２          内部空間部
３４          粘弾性体
３６          発電装置
【図１】
2004340272.tif 000003
【図２】
2004340272.tif 000004
【図３】
2004340272.tif 000005
【図４】
2004340272.tif 000006
【図５】
2004340272.tif 000007
【図６】
2004340272.tif 000008
【図７】
2004340272.tif 000009
【図８】
2004340272.tif 000010
【図９】
2004340272.tif 000011